(57)【要約】【課題】吸収補正の精度を向上すること、画像化のためのガンマ線の収集動作と並行して吸収補正のためのデータ収集動作を行うこと。【解決手段】被検体に投与された放射性同位元素から放射されるガンマ線を検出するための光電子増倍管を備えるメイン検出器１５，１７と、ガンマ線を放出する線源２３と、線源から放出され被検体を透過したガンマ線を検出する半導体検出器２５と、メイン検出器の出力と半導体検出器の出力とに基づいて放射性同位元素の体内分布を画像化するプロセッサ６３と、メイン検出器に対して半導体検出器を移動させるものであり、メイン検出器の検出面の法線方向に沿って半導体検出器を移動するスライドアーム２９とを具備する。【選択図】図１
2005114739.tif 000002
【特許請求の範囲】
【請求項１】
被検体に投与された放射性同位元素から放射されるガンマ線を検出するための光電子増倍管を備えるメイン検出器と、
ガンマ線を放出する線源と、
前記線源から放出され、前記被検体を透過したガンマ線を検出する半導体検出器と、
前記メイン検出器の出力と前記半導体検出器の出力とに基づいて前記放射性同位元素の体内分布を画像化する処理部と、
前記メイン検出器に対して前記半導体検出器を移動させるものであり、前記メイン検出器の検出面の法線方向に沿って前記半導体検出器を移動する移動機構とを具備したことを特徴とする核医学診断装置。
【請求項２】
被検体に投与された放射性同位元素から放射されるガンマ線を検出するための光電子増倍管を備えるメイン検出器と、
ガンマ線を放出する線源と、
前記線源から放出され、前記被検体を透過したガンマ線を検出する半導体検出器と、
前記メイン検出器の出力と前記半導体検出器の出力とに基づいて前記放射性同位元素の体内分布を画像化する処理部と、
前記メイン検出器に対して前記半導体検出器を移動させるものであり、前記メイン検出器の検出面の法線に直交する方向に沿って前記半導体検出器を移動する移動機構とを具備したことを特徴とする核医学診断装置。
【発明の詳細な説明】
【技術分野】
【０００１】
本発明は、被検体に投与された放射性同位元素から放射されるガンマ線を検出し、放射性同位元素の体内分布を画像化する核医学診断装置に関する。
【背景技術】
【０００２】
核医学診断装置は、シングルフォトン核種を用いて放射性同位元素の崩壊時の一個のガンマ線の検出を行い、この検出データに基づいて２次元的なガンマ線蓄積画像をえることを特徴としたシングルフォトンカメラと、ポジトロン核種を用いて陽電子が消滅する際に反対方向に一対のガンマ線を放出することを利用し、放出場所を特定することにより２次元的なガンマ線の蓄積画像を得ることを特徴としたポジトロンカメラとに分類される。
【０００３】
また、近年、複数の角度でガンマ線を検出し、それに基づいて断層像を再構成する断層イメージングの技術（ＥＣＴ(emission computed tomography)）が実用化されている。このＥＣＴは、シングルフォトンＥＣＴ（ＳＰＥＣＴ）と、ポジトロンＥＣＴ（ＰＥＴ）とに大別される。いずれのＥＣＴでも、検出器が被検体の周囲を回転する回転型のものが主流を占めている。このようなＥＣＴでは、分布画像の画素毎のカウントの定量性を確保するために、散乱線補正や吸収補正が不可欠とされる。
【０００４】
後者は、被検体を透過したガンマ線を検出することが必要であり、これにはメイン検出器が流用される。つまり、面線源やライン線源が被検体を挟んでメイン検出器に対向する位置に配置される。そして、線源から放射され被検体を透過したガンマ線がメイン検出器で検出される。このときのメイン検出器の出力に対して散乱線補正やクロストーク補正が行われ、この結果に基づいて吸収補正が行われる。このような吸収補正には次のような問題点がある。
【０００５】
（１）メイン検出器の多くはシンチレータと光電子増倍管（ＰＭＴ）とを組み合わせた方式でガンマ線を検出するというもので、この方式はエネルギー分解能が低く、したがって散乱線補正やクロストーク補正の精度には限界があり、吸収補正の精度は低くならざるをえなかった。
【０００６】
（２）被検体を透過したガンマ線の検出にメイン検出器が流用されるので、この検出動作を、画像化のためのガンマ線の収集動作の前に、あるいは後に行うか、収集動作中に時分割して行っていた。
【０００７】
（３）メイン検出器はエネルギー分解能が低いため、実際に画像化のために生体に投与される放射性同位元素からのガンマ線に近傍するエネルギーのガンマ線を使って、吸収補正を行うことはできなかった。
【０００８】
（４）メイン検出器が被検体に最近接する軌道を描きながら吸収補正のデータを収集することはできなかった。
【発明の開示】
【発明が解決しようとする課題】
【０００９】
本発明の目的は、吸収補正の精度を向上すること、画像化のためのガンマ線の収集動作と並行して吸収補正のためのデータ収集動作を行うことを可能にする核医学診断装置を提供することである。
【課題を解決するための手段】
【００１０】
本発明の第１局面は、被検体に投与された放射性同位元素から放射されるガンマ線を検出するための光電子増倍管を備えるメイン検出器と、ガンマ線を放出する線源と、前記線源から放出され、前記被検体を透過したガンマ線を検出する半導体検出器と、前記メイン検出器の出力と前記半導体検出器の出力とに基づいて前記放射性同位元素の体内分布を画像化する処理部と、前記メイン検出器に対して前記半導体検出器を移動させるものであり、前記メイン検出器の検出面の法線方向に沿って前記半導体検出器を移動する移動機構とを具備したことを特徴とする。  
本発明の第２局面は、被検体に投与された放射性同位元素から放射されるガンマ線を検出するための光電子増倍管を備えるメイン検出器と、ガンマ線を放出する線源と、前記線源から放出され、前記被検体を透過したガンマ線を検出する半導体検出器と、前記メイン検出器の出力と前記半導体検出器の出力とに基づいて前記放射性同位元素の体内分布を画像化する処理部と、前記メイン検出器に対して前記半導体検出器を移動させるものであり、前記メイン検出器の検出面の法線に直交する方向に沿って前記半導体検出器を移動する移動機構とを具備したことを特徴とする。
【発明の効果】
【００１１】
本発明によれば、吸収補正の精度を向上すること、画像化のためのガンマ線の収集動作と並行して吸収補正のためのデータ収集動作を行うことができる。
【発明を実施するための最良の形態】
【００１２】
以下、本発明による核医学診断装置の一実施形態を図面を参照して説明する。なお、核医学診断装置には、シングルフォトンカメラ、ポジトロンカメラ、ＳＰＥＣＴ、ＰＥＴ等が含まれる。ここでは、これらを兼用できる回転型２検出器タイプを一例として説明するが、他のタイプの採用を否定するものではない。
【００１３】
図１に本実施形態による核医学診断装置の架台部の斜視図を示し、図２に図１の側面図を示す。図３（ａ）に図１のメイン検出器の検出面の法線上から見た図を示し、図３（ｂ）に図１のメイン検出器の側面図を示す。
【００１４】
架台１１の回転板１３には、アーム１９，２１を介して２つのメイン検出器１５，１７が、被検体Ｐを挟んで互いに検出面が対向した状態で支持されており、回転板１３の回転によりメイン検出器１５，１７は被検体Ｐの周囲を回転できるようになっている。２つのメイン検出器１５，１７のガンマ線入射側には、ガンマ線入射方向を検出面に略垂直な方向だけに制限するコリメータが設けられている。架台１１は被検体Ｐの体軸に沿って設けられたレール上を移動することにより、被検体Ｐに体軸に対して平行に移動できる。
【００１５】
ここで説明の便宜上、回転板１３の回転軸をＹ軸（被検体Ｐの体軸と平行な方向）、２つのメイン検出器１５，１７の検出面の法線と平行にＺ軸、Ｙ−Ｚ面に直交するようにＸ軸とした直交３軸の回転座標系を規定するものとする。この場合、Ｘ−Ｙ面はメイン検出器１５，１７の検出面と平行になる。また、後述するように、面線源２３の放射面や半導体検出器２５の検出面は矩形であり、これらの短軸はＹ軸と平行になり、長軸はＺ軸と平行になる。また、メイン検出器１５，１７の間に配置される被検体Ｐの体軸は、Ｙ軸と略平行になる。また、半導体検出器２５の検出面のＹ軸方向の長さ（短軸の長さ）は、メイン検出器１５，１７の検出面のＹ軸方向の長さよりも短くなっている。
【００１６】
アーム１９，２１は、メイン検出器１５，１７が独立して被検体Ｐに対して接近及び離間できるように、Ｚ軸と平行にスライド自在に回転板１３に取り付けられる。
【００１７】
実際に被検体Ｐを透過したガンマ線を検出して、吸収補正のためのデータ（吸収補正データ）を収集するために、架台１１の回転板１３には、スライドアーム２７，２９を介して、ガンマ線を放射するための面線源２３と、面線源２３から放射され、被検体Ｐを透過したガンマ線を検出するための半導体検出器２５とが、それぞれの放射面と検出面とがメイン検出器１５，１７の検出面と垂直なＹ−Ｚ面と平行になり、そして放射面と検出面とが被検体Ｐを挟んで対向した状態を維持したままでＹ軸と平行に移動可能に支持される。つまり、面線源２３からのガンマ線の放射方向が、コリメータを通過してメイン検出器１５，１７で検出されるガンマ線の入射方向に対して、交差する、好ましくは直交するように、面線源２３が設けられ、またこの面線源２３に対峙する向きに半導体検出器２５が設けられる。
【００１８】
これら面線源２３と半導体検出器２５とは、メイン検出器１５，１７の自由なスライドを疎外することがないように、図３に示すように、メイン検出器１５，１７及びアーム１９left，１９right ，２１left，２１right の外側に設けられる。
【００１９】
面線源２３としては、被検体に投与される放射性同位元素から放射されるイメージングのためのガンマ線のエネルギーとは異なるエネルギーのガンマ線を放射する複数の線源２４の稠密な２次元配列構造が採用される。ただし、吸収補正の精度を向上させるには、イメージングのためのガンマ線と同じ又はそれに非常に近いエネルギーのガンマ線で吸収補正データを収集することが好ましい。本発明のような半導体検出器のエネルギー分解能は、従来のシンチレータと光電子増倍管（ＰＭＴ）とを組み合わせた方式のそれに比べて著しく高く、エネルギースペクトラム解析は、面線源２３からのガンマ線成分だけを高精度で且つ容易に弁別することを可能とする。したがって、イメージングのためのガンマ線に非常に近いエネルギーのガンマ線の線源２４で面線源２３を構成し、吸収補正精度を向上させることが可能となり得る。
【００２０】
図４（ａ）に、半導体検出器２５のＸ−Ｚ面に関する断面図を示し、同図（ｂ）に半導体検出器２５の半導体素子の配列を示す。半導体検出器２５は、例えばＣｄＺｎＴｅのｎ個の半導体素子３１がＺ軸と平行に一列に稠密に配列され、この列がＹ軸と平行にｍ列稠密に配列されたＺ軸方向に長い全体矩形（例えば長さ約３０ｃｍ〜５０ｃｍ、幅２ｃｍ〜５ｃｍ）の２次元の配列構造を有する。半導体素子３１の面線源２３側には、検出面に略垂直な方向から入射するガンマ線だけを通過させて、散乱線の入射を低減するための鉛等の平行孔型コリメータ３５が設けられる。半導体素子３１それぞれには、プリアンプとアナログディジタルコンバータとからなるセット３３が１つづつ電気的に接続され、ガンマ線がある半導体素子３１に入射すると、当該半導体素子３１に対応するアナログディジタルコンバータからそのエネルギーに応じたディジタル信号が出力されるようになっている。これら半導体素子３１等は、ノイズの原因となる外乱ガンマ線の側面や背面からの入射を防止するために鉛等の遮蔽ケース３７に収容される。
【００２１】
図５にＸ−Ｚ断面を示すように、ガンマ線の放射方向を放射面に略垂直な方向だけに制限し、面線源２３から放射されたガンマ線が斜め方向からメイン検出器１５，１７に入射することを防止し、且つ被検体Ｐの被爆量を極力抑えるために、鉛等の平行スリット４１、または／及び図６に示すように鉛等の方形筒状の遮蔽ウインドウ４３が面線源２３の放射面に設けられる。また、面線源２３からのガンマ線の漏洩を防止するために、面線源２３は、鉛等の遮蔽ケース５５に収容される。
【００２２】
架台１１には、不使用時に面線源２３を保管するための格納庫４７が設けられる。面線源２３をスライドアーム２７から取り外し、格納庫４７に収めるようにしてもよいし、図２に示すようにスライドアーム２７のスライドに伴ってそのまま格納庫４７に収めるようにしてもよいし、図７（ｂ）に示すように軸５１を中心に面線源２３をスライドアーム２７に折り畳み、そしてスライドアーム２７を回転軸５３を中心として略９０°回転することにより格納庫４７に収めるようにしてもよい。なお、図示しないが、半導体検出器２５を格納する格納庫も架台１１に設けられる。
【００２３】
図８に示すように、不使用時における面線源２３からのガンマ線の不要な漏洩を防止するために、不使用時には面線源２３の遮蔽ケース５５を鉛等の遮蔽板４５で蓋して内部を密閉できるようになっている。また、これに代えて、図７（ａ）に示すように、架台１１の格納庫４９の対応部分にこの遮蔽板４５を張り付けるようにしてもよい。
【００２４】
図９に、本実施形態に係る核医学診断装置のブロック図を示す。この核医学診断装置は、システムコントローラ６１を制御中枢として次のように構成されている。移動機構６７は、面線源２３と半導体検出器２５とを互いに対向した状態を保ったままでＹ軸と平行に直線的に移動するために必要とされる構造、駆動源及びロータリエンコーダ等の位置センサ等を有している。回転機構７５は、回転板１３を連続的又は５°等の一定角度毎に断続的に回転するために必要とされる構造、駆動源及びロータリエンコーダ等の角度センサを有している。
【００２５】
例えばＳＰＥＣＴ撮影では、回転板１３は５°等の所定角度毎に断続的に停止、回転を繰り返す。この回転に同期して、回転が停止している期間、被検体Ｐに投与された放射性同位元素から放射されたガンマ線は、メイン検出器１５，１７で検出される。プロセッサ６３は、例えば被検体Ｐの周囲１周分に相当するメイン検出器１５，１７に出力信号に基づいて断層像データを再構成する。この断層像データは、ディスプレイ６５に表示される。
【００２６】
このようなＳＰＥＣＴ撮影に対してリアルタイム（同時進行）で、吸収補正データの収集が行われる。面線源２３と半導体検出器２５とは、メイン検出器１５，１７と回転板１３を共有しているので、メイン検出器１５，１７の回転、停止に完全に同期して、被検体Ｐの周囲を回転し、また停止する。回転が停止している期間又はそれより短い所定期間をかけて、面線源２３及び半導体検出器２５は被検体Ｐに対して、オペレータにより指定された例えば心臓等の目的部位を含む任意の範囲を移動する。回転期間中は面線源２３及び半導体検出器２５は移動しない。次の停止期間では、面線源２３及び半導体検出器２５は当該範囲を逆向きに移動する。
【００２７】
面線源２３及び半導体検出器２５が移動している期間、半導体検出器２５では面線源２３から放射され、被検体Ｐを透過したガンマ線の検出が繰り返される。ガンマ線はその入射位置に存在する１つの半導体素子３１のみに入射する。ガンマ線がある半導体素子３１に入射すると、当該半導体素子３１に対応するアナログディジタルコンバータから、そのガンマ線のエネルギーに応じたレベルで１つのディジタル信号が出力される。つまり、ガンマ線の入射位置は、そのガンマ線入射により信号を出力する半導体素子３１の位置（Ｘ，Ｙ）と、半導体検出器２５の位置（Ｙ）とにより容易に特定できる。
【００２８】
エネルギースペクトラム収集部６９は、半導体検出器２５から信号が出力される毎に、半導体検出器２５からの出力信号のレベルに対応するエネルギーチャンネル（ＣＨ）、位置（ＸＹ）、及び半導体検出器２５（回転板１３）の回転角度（θ）に対応する計数値Ｃ（ＣＨ，ＸＹ，θ）を１つ増加する。このような計数動作は、面線源２３及び半導体検出器２５が移動している期間、継続される。これにより、位置（ＸＹ）毎、さらに半導体検出器２５（回転板１３）の回転角度（θ）毎に、エネルギースペクトラムが収集される。
【００２９】
エネルギースペクトラム解析部７１は、エネルギースペクトラムを個々に解析し、台形近似を利用したＴＥＷ（triple energy window）法等により散乱線成分を補正し、またクロストーク補正を行う。 吸収補正データ作成部７３は、補正後のエネルギースペクトラムに基づいて吸収補正データを作成する。この吸収補正データは、システムコントローラ６１を介して、プロセッサ６３に転送される。
【００３０】
プロセッサ６３では、メイン検出器１５，１７の出力信号を吸収補正データに基づいて吸収補正し、吸収補正された信号に基づいて、投与された放射性同位元素の生体内の断層分布としての断層像データを再構成する。
【００３１】
図１０に示すように、半導体検出方式のエネルギー分解能は、従来のシンチレータと光電子増倍管（ＰＭＴ）とを組み合わせたシンチレーション方式のそれに比べて著しく高く、したがって人体でガンマ線が散乱しエネルギーシフトを起したような場合でも、ホトピークを中心に十分狭いエネルギーウインド（例えば99mＴｃの場合、半導体検出器２５は５％のエネルギー分解能を有するとするとホトピークを中心に約±５％のエネルギーウインドを設定する）を設定してやることにより従来のシンチレーション方式の検出器では得ることができない精度の良い散乱線成分の本質的除去が可能で、面線源２３を用いても十分精度の良い吸収補正が可能で、半導体検出器２５の持つ計数率特性の良さを含め感度の高い吸収補正のための収集が可能である。
【００３２】
これらを総合し、被検体の被爆量が少なく、かつ短時間に吸収補正のため収集が可能で、面線源２３の線量の設計によっては通常のＳＰＥＣＴ収集と同時に行なえる特徴の他、通常のＳＰＥＣＴ収集時間の数分の１の吸収補正のための収集時間で補正のための収集が終わり、更に通常の収集に対する面線源からのクロストーク成分を減らすことも可能となる。なお、十分吸収補正のための収集時間が通常収集時間と比較し短いなら、吸収補正のための収集と通常収集を時分割で行ない、両者の収集精度を上げることも可能である。
【００３３】
またこの吸収補正システム（面線源２３、半導体検出器２５、その他移動機構等を含む）が物理的に架台１１に設置されているため、ＳＰＥＣＴの連続又はＳＴＥＰあるいは、回転半径固定／最近接軌道、頭部ＳＰＥＣＴ／全身（心臓）ＳＰＥＣＴどの場合でも吸収補正のための収集を行なうことが可能、また同補正のための収集においてＴＥＷで代表される散乱線補正を本半導体検出器ユニットあるいはＳＰＥＣＴ収集に用いられる検出器に適用してやることにより更に理想的な定量的解析が可能な補正を実現することが可能である。
【００３４】
本発明の効果をまとめると次の通りである。
【００３５】
（１）従来の吸収補正では、本来ＳＰＥＣＴとして使用するメイン検出器を利用し吸収補正を行なうことに起因する様々な問題があったが、吸収補正用の専用検出器として半導体検出器を用いるため小型でかつ本来のＳＰＥＣＴ収集に対する影響が少なくかつ同時にＳＰＥＣＴ／吸収補正を実施することが可能である。
【００３６】
（２）従来のＳＰＥＣＴ装置に簡単に取付けることが可能である。
【００３７】
（３）半導体検出器のエネルギー分解能が極めて高いため吸収補正の精度が向上する。
【００３８】
（４）面線源の前側に鉛製ウインドあるいはコリメータを設置することにより、通常のＳＰＥＣＴ収集に面線源からの散乱線の飛び込みの影響が減る他、被検体の被爆量が減る。
【００３９】
（５）本発明では頭部ＳＰＥＣＴでも心臓ＳＰＥＣＴあるいは他のＳＰＥＣＴでも同じ方法で吸収補正を行なうことが可能である。
【００４０】
（６）ＳＰＥＣＴ収集モードが連続収集あるいはＳＴＥＰ収集、最近接軌道収集であっても吸収補正を行なうことが可能となる。
【００４１】
（７）吸収補正を行わないときは、面線源ならび半導体検出器を被検体から退避させて、面線源を遮蔽しあるいは取り外すことにより極めて簡便かつ被爆に対する安全性を確保することが可能となる。
【００４２】
なお、本実施形態は次のように変形可能である。図１１に示すように、メイン検出器１５，１７が架台１１に内蔵されたタイプにも、吸収補正システム（面線源２３、半導体検出器２５、その他移動機構等を含む）を適用することができる。この場合、架台１１の回転部に固定されたレール７１に面線源２３が移動可能に取り付けられ、図示しないが反対側にも半導体検出器２５が同様のレールに取り付けられる。このレール７１の一端側に面線源２３の格納庫４７が設けられる。
【００４３】
また、上述の説明では、面線源２３及び半導体検出器２５はＺ方向に長く、Ｙ方向に移動可能に設けているが、Ｙ方向に長く、Ｚ方向に移動可能に設けてもよいし、図１２に示すように、一方のメイン検出器１５の検出面と被検体Ｐとの間に面線源２３をＸ方向に長く、メイン検出器の検出面に沿ってＹ方向に移動可能に設けてもよい。
【００４４】
また、上述の説明では、同じ大きさの面線源２３と半導体検出器２５とを平行に向き合わせ、パラレルなガンマ線を検出するようにしたが、図１３に示すように、面線源２３’の放射面を半導体検出器２５の検出面よりＺ方向に短くし、これに合わせて半導体検出器２５にファンビームコリメータ７３を取り付けるようにしてもよい。このようなファンビーム状にガンマ線を検出する方式は、小児、小動物、頭部等の比較的サイズの小さい対象に対して、半導体検出器２５の空間分解能を向上させる点で好適である。この場合、スライドアーム２７に対し面線源２３と小さい面線源２３’とを交換可能とし、半導体検出器２５に対しパラレルコリメータとファンビームコリメータ７３とを交換可能とすることにより、対象の大きさに応じていずれの方式も適用できる。
【００４５】
また、３つのメイン検出器が３角形に配置されたＳＰＥＣＴ専用器でも、吸収補正システム（面線源２３、半導体検出器２５、その他移動機構等を含む）を適用することができる。この場合、図１４に示すように、３角の頂点で隣り合うメイン検出器７５，７７の間に矩形の面線源２３をＹ方向に沿って配置し、面線源２３に対向するメイン検出器７９の検出面に沿って半導体検出器２５が移動可能に設けられる。
【００４６】
また、上述の説明では、半導体検出器２５の出力に基づいて吸収補正データを作成するようにしているが、図１５に示すように、ガンマ線の計数値が２次元で取得され、また角度毎に取得されているので、半導体検出器２５の出力に基づいて角度毎にガンマ線の透過画像を生成することも可能である。同様に、半導体検出器２５の出力に基づいて断層像を再構成することも可能である。
【００４７】
また、面線源２３としては、図１６（ａ），（ｂ）に示すように、放射ガンマ線のエネルギーの相違する複数種類、例えば57Ｃｏと 241Ａｍの２種の面線源２４1 ，２４2 を長軸に沿って交互に配置したり、２種の面線源２４1 ，２４2 を短軸に沿って並列するようにしてもよい。
【００４８】
また、面線源２３を、被検体内の放射線同位元素とは異なるエネルギーのガンマ線を放出するようにし、半導体検出器２５の出力に所定のウインドウ処理を施して被検体内の放射線同位元素から放出されたガンマ線の計数値（エミッション計数値）と、面線源２３から放出されたガンマ線の計数値（トランスミッション計数値）とをそれぞれ求めても良い。この半導体検出器２５の出力に基づくエミッション計数値をメイン検出器１５の計数値に加算して、被検体内の放射性同位元素の分布像を求めることにより、良好な画像を得ることができる。このように半導体検出器２５の出力に基づくエミッション計数値とメイン検出器１５の計数値とに基づいて、被検体内の放射性同位元素の分布像を求める方法は、図１２のように半導体検出器２５がメイン検出器１５の検出面全面を移動する場合に有効である。なお、吸収補正は、トランスミッション計数値を用いて、半導体検出器２５の出力に基づく計数値とメイン検出器１５の計数値都の加算値を補正すればよい。また、加算前にそれぞれの計数値をトランスミッション計数値を用いて補正してもよい。
【００４９】
また、図１７（ａ），（ｂ）に示すように、半導体素子３１を長軸方向（Ｚ軸方向）に沿って一定のスペース（デッドスペース）を隔てて離散的に配列して半導体検出器２５を構成してもよいし、また同様に図１８（ａ），（ｂ）に示すように、線源２４を長軸方向（Ｚ軸方向）に沿って一定のスペース（デッドスペース）を隔てて離散的に配列して面線源２３を構成してもよし。この場合、半導体検出器２５や面線源２３の移動方向（短軸方向（Ｙ軸方向））に直交する向き（長軸方向（Ｚ軸方向））と平行に、上記デッドスペースの距離だけ往復移動する機構を介してアームに半導体検出器２５や面線源２３を設け、吸収補正データ収集期間中には半導体検出器２５や面線源２３をＺ軸方向に揺動しながらＹ方向に沿って移動させることにより、線源２４を稠密に連続的に配置した場合と同様の機能を達成することができる。その他本発明は上述した実施形態に限定されることなく、種々変形して実施可能である。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】本発明の一実施形態による架台部の斜視図。
【図２】図１の架台部の側面図。
【図３】図１のメイン検出器、半導体検出器、面線源の位置関係を示す図。
【図４】図１の半導体検出器の断面及び平面図。
【図５】図１の面線源の断面図。
【図６】図１の面線源の遮蔽ウインドウを示す斜視図。
【図７】図１の面線源の保管庫を示す図。
【図８】図１の面線源の遮蔽板（遮蔽蓋）を示す図。
【図９】本発明の一実施形態による核医学診断装置のブロック図。
【図１０】シンチレーション方式の検出器と半導体検出器とのエネルギ津ぎー分解能の比較図。
【図１１】メイン検出器が架台に内蔵されたタイプへの適用例を示す図。
【図１２】図１の面線源及び半導体検出器がメイン検出器の検出面に沿って移動する変形例を示す図。
【図１３】ファンビームタイプの面線源及び半導体検出器を示す図。
【図１４】３つのメイン検出器を備えたＳＰＥＣＴ専用機への適用例を示す図。
【図１５】面線源及び半導体検出器の回転を示す図。
【図１６】２種類の線源を備えた面線源の変形例を示す図。
【図１７】半導体素子が離散的に配列された半導体検出器の変形例を示す図。
【図１８】線源が離散的に配列された面線源の変形例を示す図。
【符号の説明】
【００５２】
１１…架台、１３…回転板、１５，１７…メイン検出器、１９，２１…アーム、２３…面線源、２５…半導体検出器、２７，２９…スライドアーム。
【図１】
2005114739.tif 000003
【図２】
2005114739.tif 000004
【図３】
2005114739.tif 000005
【図４】
2005114739.tif 000006
【図５】
2005114739.tif 000007
【図６】
2005114739.tif 000008
【図７】
2005114739.tif 000009
【図８】
2005114739.tif 000010
【図９】
2005114739.tif 000011
【図１０】
2005114739.tif 000012
【図１１】
2005114739.tif 000013
【図１２】
2005114739.tif 000014
【図１３】
2005114739.tif 000015
【図１４】
2005114739.tif 000016
【図１５】
2005114739.tif 000017
【図１６】
2005114739.tif 000018
【図１７】
2005114739.tif 000019
【図１８】
2005114739.tif 000020